(57)【要約】【課題】撮影者の好みにより多数の画像を記録する場合にも画像を区別して記録することができ、撮影後の整理にも好都合な電子的撮像装置を提供する。【解決手段】設定されたディレクトリに対して登録が可能な画像ファイルの登録限度を設けて画像ファイルを登録する際、当該ディレクトリの登録限度に達する以前であっても、当該所定の画像ファイルを他のディレクトリに登録可能とする。【選択図】図１０
2004048793.tif 000002
【特許請求の範囲】
【請求項１】
　適用された記録媒体にディレクトリ構造をもって画像情報を記録し、または、該記録媒体にディレクトリ構造をもって記録された画像情報を再生することを可能とする電子的撮像装置であって、
　設定されたディレクトリに対して登録が可能な画像ファイルの登録限度を設けて画像ファイルを登録する際、当該ディレクトリの登録限度に達する以前であっても、当該画像ファイルを他のディレクトリに登録可能とした画像情報登録手段を具備することを特徴とする電子的撮像装置。
【請求項２】
　上記記録媒体に設定されたディレクトリ構造について上記画像情報を記録または再生するためのディレクトリを選択するディレクトリ選択手段を更に有し、
　上記画像情報登録手段は、上記ディレクトリ選択手段の選択に応じた他のディレクトリに上記画像ファイルを登録可能とすることを特徴とする請求項１に記載の電子的撮像装置。
【発明の詳細な説明】
【発明の詳細な説明】
【技術分野】
【０００１】　本発明は、電子的撮像装置、詳しくは、適用された記録媒体にディレクトリ構造をもって画像情報を記録し、または、該記録媒体にディレクトリ構造をもって記録された画像情報を再生することを可能とする電子的撮像装置に関する。
【背景技術】
【０００２】　近年、電子的撮像装置である各種の電子スチルカメラが商品化され、種々の用途に使用されるようになっている。上記電子スチルカメラでは、多数のスチル画像情報をメモリカード，フロッピーディスク等の情報記録媒体にデータファイルとして記録するものであることから、当然ながら、その画像情報の検索性の善し悪しが電子スチルカメラとしての商品価値、或いは、利用価値を決めることになる。【０００３】　一方、現在、各分野に普及しているパソコンのＤＯＳ（ｄｉｓｋ　ｏｐｅｒａｔｉｎｇ　ｓｙｓｔｅｍ）においては、数多くのデータベース、または、プログラムを素早く検索、或いは、選択処理する必要から、一般的に階層構造、即ち、階層ディレクトリによる情報ファイルの管理方法が用いられている。この階層構造ディレクトリによる情報ファイルの管理方法は、各ファイルのデータを記録するメモリ上の記録領域の位置（メモリのクラスタ番号を対応させる）とそのファイル名とを登録簿、所謂、ディレクトリに登録する。該ファイルは、その種類、内容により、必要に応じて上記ディレクトリ名とファイル名を介して指定することによって所望の情報ファイルを検索可能ならしめるものである。【０００４】　パソコンの操作者は、この階層ディレクトリによる情報ファイルの分類状態を目視で観察する場合、モニタに階層ディレクトリのツリー（ｔｒｅｅ）構造を表示させ、それによって情報ファイルの登録位置を知ることができる。図２２は、このツリー構造の表示例を示すものである。マーク「￥」で示されるルートディレクトリは、「ＤＯＳ」と「ＢＡＴ」と「ＵＳＲ」の３つのサブディレクトリで構成される。サブディレクトリ「ＵＳＲ」については、１階層下に「Ｃ」と「ＰＡＳＣＡＬ」というサブディレクトリのツリー構造を観察しながらキーボードを操作して、容易に目的とする情報ファイルを指定したり、確認することができる。このようなファイル選択，指定方法は、特に、ファイルが多く複雑に分岐している場合、非常に有用なものとなる。【０００５】　なお、上記パソコンのファイルシステムにおいては、記録される上記各ファイルの大きさは、種々あるため、メモリ領域を経済的に利用するため、ファイルのデータは、メモリ上の空き領域、一般にはメモリ領域の単位となるクラスタを探して順次記録されていく。その一つのファイル領域の連なり状態を記憶しておき、再生，出力時にはその連なり分を一つのファイルとして再生、または、出力する。このファイルの記録領域の連なり状態を記憶したファイル配置情報領域のことをＦＡＴ（ｆｉｌｅ　ａｌｌｏｃａｔｉｏｎ　ｔａｂｌｅ）と称している。【０００６】　従来の電子スチルカメラの画像情報は、例えば、運動会，遠足，旅行といった各テーマ毎に撮影され、それぞれ媒体の記録領域に順次記録されるだけである。しかし、撮影画面を再生しようとするときは、数ある画像情報の中からテーマ別、或いは、期日別のものを選択しなくてはならず、単純にボタン操作で探してゆくのでは能率が悪く、使用者は煩雑に耐えない。記録データが消去されたり、重ね書きされた画像データが存在する記録媒体の場合、更にこの不具合は顕著となる。また、記録媒体として大容量のメモリカードを適用する電子カメラにおいては、上記従来のボタン操作のみの操作では、時間的にも不利であり、商品価値が著しく減殺さてしまう。【０００７】　そこで、電子スチルカメラの画像情報記録の管理及び表示に上記階層構造を可とするディレクトリとツリー形式の表示手法を用いるならば、上記のような数多くのスチル画像情報を管理するには好適であり、電子スチルカメラ自体の利用範囲も更に広がることになる。
【発明が解決しようとする課題】
【０００８】　ところで、電子カメラで数多くの撮影を行う場合を想定するに、ディレクトリ構造により記録または再生を行うことは、画像の参照や整理の際に便利である。
【０００９】　しかし、ディレクトリへの画像の登録限度によっては登録される画像ファイルが多すぎる場合もあり、撮影者の好みによって画像を区別したいような場合にも登録限度までファイル登録されると撮影後の整理も煩わしいものとなる。
【００１０】　本発明は、撮影者の好みにより多数の画像を記録する場合にも画像を区別して記録することができ、撮影後の整理にも好都合な電子的撮像装置を提供することを目的とする。
【課題を解決するための手段】
【００１１】　上記の目的を達成するために本発明の第１の電子的撮像装置は、適用された記録媒体にディレクトリ構造をもって画像情報を記録し、または、該記録媒体にディレクトリ構造をもって記録された画像情報を再生することを可能とする電子的撮像装置であって、設定されたディレクトリに対して登録が可能な画像ファイルの登録限度を設けて画像ファイルを登録する際、当該ディレクトリの登録限度に達する以前であっても、当該画像ファイルを他のディレクトリに登録可能とした画像情報登録手段を具備することを特徴とする。
【００１２】　また、本発明の第２の電子的撮像装置は、上記第１の電子的撮像装置において、上記記録媒体に設定されたディレクトリ構造について上記画像情報を記録または再生するためのディレクトリを選択するディレクトリ選択手段を更に有し、上記画像情報登録手段は、上記ディレクトリ選択手段の選択に応じた他のディレクトリに上記画像ファイルを登録可能とすることを特徴とする。
【発明を実施するための最良の形態】
【００１３】　以下、図面を参照して本発明の実施の形態を説明する。【００１４】　図１は、本発明の一実施形態を示す電子的撮像装置としての電子スチルカメラの外観図である。本実施形態の電子スチルカメラは、その画像情報の記録媒体として固体メモリカードを用いており、この種の電子スチルカメラを、以下、ＳＭＣ（Ｓｏｌｉｄｓｔａｔｅ　Ｍｅｍｏｒｙ　Ｃａｍｅｒａ）と称する。このＳＭＣにおいては、各一画面毎の撮影画像データは、データファイルとしてメモリカードに格納されるが、そのときのファイル情報（記録媒体に設定されたファイルの構成如何に係る情報）をパソコンのＤＯＳによりサポートされる階層構造を可とするファイル構造上の位置付け情報、即ち、（階層）ディレクトリのファイル情報を用いて画像データを記録、又は、再生してゆくものとする。更に、その階層ディレクトリによる上記ファイル情報の表示は、図８に示すような第１表示部１２ａと第２表示部１２ｂで構成される１ラインの階層構造位置付け情報表示手段であるＬＣＤ表示部１２を用いた表示に適用して行うものとする。【００１５】　図１に示すように、このＳＭＣは、カメラ本体２０の前面に撮影レンズ１が設けられており、側面にはメモリカード１４が装脱可能なカード挿入口が設けられている。また、カメラ本体２０の上面には電源オンオフ用のパワースイッチ２４、及び、レリーズスイッチとなる記録スイッチ２５が配されてぃる。更に、カメラ本体２０の上面の後方には記録再生操作等の操作スイッチ群１１と、記録再生の表示，画像データの階層ディレクトリ（ルートディレクトリ，サブディレクトリ）によるファイル情報（ファイルの構成如何に係る情報）等の表示を行うＬＣＤ表示部１２が設けられている。【００１６】　図２は、図１のＳＭＣの信号処理系のブロック構成図である。この図２に示すように、当該ＳＭＣにおいては、画像の記録、又は、再生に際して、メモリカードをカードインターフェース（Ｉ／Ｆ）１３に挿入し、記録再生可能状態とする。まず、撮影状態においては、被写体像が撮影レンズ１により撮像回路２に設けられたＣＣＤ等の撮像素子上に結像され、画像信号としてＡ／Ｄコンバータ３に出力される。Ａ／Ｄコンバータ３でデジタル化された上記画像信号に対応する画像データは、Ｄ／Ａコンバータ５で再度アナログ信号に変換された後、ビデオエンコーダ６により所定のエンコード処理がなされ、ビデオ信号として出力される。尚、該再生データが未記録領域からの再生データであるときには、システムコントローラ１０のミュート信号によりビデオエンコーダ６ではミュート処理がなされる。【００１７】　また、メモリカードへの画像データを記録する場合には、先ず、ＲＡＭ４から画像データをブロック単位で読出し、圧縮／伸長回路７でＤＣＴ（Ｄｉｓｃｒｅｔｅ　Ｃｏｓａｉｎｅ　Ｔｒａｎｓｆｏｒｍ）等を用いたの直行変換・符号化処理によりデータ圧縮されて、バスを介してカードＩ／Ｆ１３に入力される。そこで、メモリカード１４上の指定された領域に上記圧縮されたデータが書き込まれる。この記録領域は、上記階層ディレクトリにより規定される領域である。【００１８】　一方、再生時には、先ず、ＬＣＤ表示部１２に表示されるアクセスの対象となる画像ファイルのディレクトリ情報を参照して、再生すべき画像ファイルを指定する。その指定に基づいて、メモリカード１４のメモリ領域が選択され、対応する画像データがカードＩ／Ｆ１３を介して読み出され、バスを介して圧縮／伸長回路７に入力される。そこで画像データの伸長・復号化処理がなされ、該処理されたデータがＲＡＭ４に格納される。その画像データは、再度、ＲＡＭ４から読み出されて、前述した如くＤ／Ａコンバータ５でアナログ信号に変換される。そして、ビデオエンコーダ６でエンコードされ、ビデオ信号として出力される。【００１９】　システムコントローラ１０は、操作スイッチ群１１の指示に基づいて、このＳＭＣの各部に所定の制御信号を供給する。そして、画像データのディレクトリによる階層構造情報再生制御及び階層構造（ファイル情報）の表示制御管理がこのシステムコントローラ１０で行われる。【００２０】　上記操作スイッチ群１１の構成は、図３にそのスイッチ配置図を示すように、記録・再生のモード切り換えスイッチであるＲＥＣ／ＰＬＡＹスイッチ１１ａと、記録・再生時に階層ディレクトリに登録されている画像データのファイルをディレクトリの順序に従って繰上げながらアクセスさせるためのコマＵＰスイッチ１１ｂと、同様に１つずつ繰下げてゆくコマＤＯＷＮスイッチ１１ｃと、記録再生の検索対象とする画像データファイルの階層ディレクトリの階層を繰上げるためのＤ−ＵＰスイッチ１１ｄと、同様に階層ディレクトリの階層を繰り下げるためのＤ−ＤＯＷＮスイッチ１１ｅと、上記階層ディレクトリの領域を作成し画像ファイルが当該ディレクトリに記録可能にするためのＭＤスイッチ１１ｆとで構成される。【００２１】　このＳＭＣの画像データは、上述のように各１枚分の画像データが１つのファイルとして扱われる。そして、階層ディレクトリのファイルシステムを利用して、該画像ファイルの記録・再生が管理される。ここで、このＳＭＣにおけるファイルシステムについてその概略を次に説明する。メモリカード１４は、上記ＦＡＴ情報が記録されるＦＡＴ領域，基本になるディレクトリの情報が記録されるルートディレクトリ領域，画像データ本体が記録されるデータ領域等にメモリ領域が割当てられている。そして、未使用の状態、即ち、新たなディレクトリ領域を設けない状態において、画像データを記録してゆく場合、図４に示すように基本となるルートディレクトリにファイル名、ファイルＡ，ファイルＢ，ファイルＣ，ファイルＤ等が登録され、それぞれ指定されたメモリ上の領域に各画像データが順次記録される。尚、図４において￥は、ルートディレクトリを示している。そこで、ルートディレクトリに、サブディレクトリを作成すると、図５に示すように、該ルートディレクトリにサブディレクトリｂが登録され、その下位にディレクトリ名ｂの第２階層のサブディレクトリが確保される。そして、そのサブディレクトリｂには、ファイル名がファイルＥ〜Ｇである画像データファイルが登録可能となる。それらのディレクトリ情報には、ファイルデータが格納されるメモリ領域の位置であるクラスタ番号が後述するディレクトリエントリに書き込まれ、その情報に基づいてファイルがアクセスされる。【００２２】　尚、サブディレクトリｂに第３階層のサブディレクトリｄを作成することができる。そして、サブディレクトリｄにはファイルＪ，ファイルＫ等が記録可能である。また、更に、図５に示すように、ルートディレクトリ￥に別のサブディレクトリ名ｃを作成すると第２階層のディレクトリにファイルＨ，ファイルＩ等が登録可能となる。以上の各サブディレクトリに記録される画像ファイルは、例えば、それぞれテーマが同じであるシーンの画面であるとか、撮影期間別の系列に沿った画面である等の分類をした状態でディレクトリに登録できる。【００２３】　画像データを再生する場合は、ルートディレクトリにある画像データファイルＡ，Ｂ，Ｃを順次再生するばかりでなく、分類された画像データのファイルＥ，Ｆ，Ｇのみを再生したいようなときは、直接サブディレクトリｂを選択して再生することにより、素早く目的に合致したデータの再生が可能となる。【００２４】　図６は、このＳＭＣの画像データファイルのための図５の階層ディレクトリの構成の一例を更に具体的に示した図である。この階層ディレクトリには、ａで示されるルートディレクトリと、第２階層のサブディレクトリｂと、同じく第２階層のサブディレクトリｃ、第３階層のサブディレクトリｄがそれぞれツリー状の関係をもって構成されている。そして、各ディレクトリ情報記憶領域には、ルートディレクトリを除いて、その先頭に上位のディレクトリ情報の格納先メモリアドレスを示す２バイトのディレクトリポインタが書き込まれている。このポインタにより上位のディレクトリ位置に戻ることができる。その後の領域にサブディレクトリ、または、画像データファイルのディレクリ情報として、ディレクトリエントリが記録されている。【００２５】　上記ディレクトリエントリは、図７に示すように、ファイル名，属性，作成時刻，作成年月日，対応するファイルまたはサブディレクトリの記録されている記録位置の先頭のクラスタ番号，該ファイルの大きさ等がそれぞれ記録されている。上記ファイル名は、対応するファイルがデータファイルであるときは、ファイル名、また、サブディレクトリであるときは、ディレクトリ名が登録される。上記属性には、ファイルデータがサブディレクトリの別、または、ファイルの種類を示す。また、上記先頭クラスタ番号によって、画像ファイルデータ、あるいは、サブディレクトリをアクセスすることが可能となる。画像ファイルの場合、１ファイルを構成するデータが記録されているエリアのクラスタ番号は、上記先頭のクラスタ番号と、それに続くクラスタ番号情報がメモリカード１４の上記ＦＡＴ領域に書き込まれる。また、サブディレクトリの上記ディレクトリエントリ情報は、ディレクトリ作成時にメモリカード１４のファイル領域内に設けられたエリアに書き込まれる。【００２６】　さて、上記階層ディレクトリを使って、記録すべき画像データであるファイルをサブディレクトリ上に登録する場合、まず、上記図３に示す操作スイッチ群１１のうち、ＭＤスイッチ１１ｆを操作して画像ファイルの記録領域を確保するため、ディレクトリを作成する。そして、ファイルをアクセスするディレクトリ位置を上下に移動させるため、Ｄ−ＵＰスイッチ１１ｄ、または、Ｄ−ＤＯＷＮスイッチ１１ｅを操作して、階層ディレクトリのアクセス位置を上下させる。そこで、これから記録するべき画像ファイルをコマＵＰ，ＤＯＷＮスイッチ１１ｂ，１１ｃにより選択する。このコマＵＰ，ＤＯＷＮスイッチ１１ｂ，１１ｃを続けて操作すると、ツリーウォーク方式のアクセスを行うものとする。即ち、現在いる階層のディレクトリの中で、ファイルを順次アクセスしてゆくが、そこで、サブディレクトリに当たると、該当する下位階層のサブディレクトリの中のファイルをアクセスする。そして、当該サブディレクトリのファイルのアクセスが終了すると、続いて該ディレクトリの上位の階層に位置するディレクトリのファイルをアクセスすることになる。【００２７】　尚、記録がされていない画像ファイルのディレクトリエントリのファイル名に対しては、０の値が書き込まれる。また、画像データが書き込まれる毎に、シリアル番号が附され、該当するディレクトリエントリのファイル名として登録される。また、ファイルを記録するメモリ上の位置は、上記ＦＡＴの情報により未使用領域を調べ、その領域に記録を行う。【００２８】　また、画像データの再生に際しては、Ｄ−ＵＰスイッチ１１ｄ、または、Ｄ−ＤＯＷＮスイッチ１１ｅを操作して、ファイルの階層ディレクトリの階層位置を上下させる。そこで、これから再生するべき画像ファイルをコマＵＰ，ＤＯＷＮスイッチ１１ｂ，１１ｃにより選択する。尚、記録動作、あるいは、再生動作のモード指定は、ＲＥＣ／ＰＬＡＹスイッチ１１ａの操作により行うものとする。【００２９】　図８は、上記表示部１２の平面図を示したもので、表示「ＲＥＣ」１２ｃ、及び、「ＰＬＡＹ」１２ｄは、カメラが記録モード、或いは、再生モードに設定されているときにいずれかが点灯される。第１表示部１２ａ，第２表示部１２ｂは、１ラインの７セグメント表示部を形成し、記録再生される画像ファイルの属するディレクトリ名、或いは、ファイル名には、本実施形態のＳＭＣでは上記図６に示すディレクトリ情報におけるファイル、または、サブディレクトリに対応している１，２，３……等の番号を該当させるものとする。ハイフン表示１２ｆは、第１表示部１２ａと第２表示部１２ｂのつなぎ記号である。また１桁の表示部１２ｅは、上記第１表示部１２ａと第２表示部１２ｂとで２つの階層しか表示できないので、第１表示部１２ａに表示されている階層ディレクトリより上位にある隠された階層の数を表示するものである。【００３０】　図９は、記録モードにおける操作スイッチ１１のコマＵＰ，ＤＯＷＮスイッチ１１ｂ，１１ｃを操作して、記録ファイルを移動させた場合の上記表示部１２の表示状態を示す。先ず、図９の（Ａ）の表示状態は第１表示部１２ａに「０１」の表示がされており、現在記録しようとしている画像ファイルは、ルートディレクトリのファイル名１のファイル（図６のファイルＡが対応する）であることを示している。同様に、図９の（Ｂ）の表示状態は、同じく第１表示部１２ａに「０２」の表示がなされており、記録画像ファイルが、ルートディレクトリの２番のファイル（図６のファイルＢが対応する）であることを示している。このように表示されるファイル名は、コマ番号に対応でき、この点は、本実施形態の一つの特徴となる。そして、図９の（Ｃ）の表示状態は、第１表示部１２ａに「０４」が表示され、第２表示部１２ｂに「０１」が表示されているので、記録画像ファイルの指定が、ルートディレクトリのディレクトリ名４で指定されるサブディレクトリ（図６のサブディレクトリｂが対応する）のなかのファイル名１のファイル（図６のファイルＥが対応する）であることを示す。図９の（Ｄ）は、記録画像ファイルの指定が、同じくディレクトリのディレクトリ名４で指定されるサブディレクトリ（図６のサブディレクトリｂが対応する）のファイル名２のファイル（図６のファイルＦが対応する）であることを示す。上記図９の（Ａ）から（Ｄ）までのファイルの切り換えは、操作スイッチ１１のコマＵＰ，ＤＯＷＮスイッチ１１ｂ，１１ｃを操作することによって行われるが、その後更に、ＵＰスイッチ１１ｂの押圧を続行すると図６のディレクトリ階層上、サブディレクトリｂからルートディレクトリに戻り、ファイルＤがアクセスされる。【００３１】　図１０の（Ａ）は、新しいメモリカード１４をＳＭＣに装着し、パワーオン後、記録モードにした状態のディレクトリの表示を示している。このときは、まだサブディレクトリが作成されておらず、今アクセスの対象とされるディレクトリがルートディレクトリの最初のファイル名１にあることが第１表示部１２ａに「０１」として表示される。そこで、ディレクトリ作成用のＭＤスイッチ１１ｆを押圧するとルートディレクトリの１番目のディレクトリにサブディレクトリ１が作成され、第２表示部１２ｂに「０１」が表示され、サブディレクトリ１の中のファイル名１が記録できる状態にあることを示す（図１０の（Ｂ））。続いて、順次記録を続けてゆき、サブディレクトリの登録許容領域上のファイル登録限度に達すると、ディレクトリ階層が上位、この場合、ルートディレクトリに戻り，、次のファイルの記録位置として「０２」の表示を行う（図１０の（Ｃ））。【００３２】　尚、上記サブディレクトリのファイル登録限度に達する以前に別のサブディレクトリに移りたい場合は、Ｄ−ＵＰスイッチ１１ｄを操作して、ディレクトリ位置を上位、例えば、ルートディレクトリに移して、記録を行なえばよい。また、上記コマＵＰ，ＤＯＷＮスイッチ１１ｂ，１１ｃの操作により、指定ファイルを順次切り換えてゆくが、サブディレクトリが存在していれば、該当するサブディレクトリに移り、そのディレクトリの順次の指定を行ってゆく。しかし、サブディレクトリが存在していなければ、ルートディレクトリの中のファイルのアクセスを順次行ってゆく。【００３３】　以上は、記録モードでのディレクトリ、または、ファイル指定について説明したが、再生モードにおけるコマＵＰ，ＤＯＷＮスイッチ１１ｂ，１１ｃの操作によるディレクトリのアップ，ダウン動作も同様に操作・処理される。【００３４】　サブディレクトリ位置は、勿論、上述の２階層のみならず、更に深い階層のサブディレクトリにアクセス位置を移すことも可能である。図１１の（Ａ）は、ルートディレクトリに登録された２階層目のサブディレクトリ部の表示状態のＬＣＤ表示部１２を示している。この状態ではルートディレクトリ「０１」の中の２階層目のディレクトリとして「０２」と表示されている。そこで、Ｄ−ＤＯＷＮスイッチ１１ｅを操作すると、図１１の（Ｂ）に示すように、ディレクトリ位置が下がり、２階層目の表示「０２」が第１表示部１２ａに移り、新たに３階層目のサブディレクトリの中の最初のファイル「０１」が表示される。そのとき、いままでは第１表示部１２ａに表示されていたルートディレクトリの指定位置を示す「０１」は、消される。しかし、隠れた階層の数が１つあることを視認できるように、表示部１２ｅに「１」を表示する。その後、Ｄ−ＵＰスイッチ１１ｄを操作してディレクトリを上位に戻すと、再び、第１表示部１２ａにルートディレクトリ名「０１」が表示され、第２表示部１２ｂには、２階層のサブディレクトリのファイルアクセス位置が一つインクリメントされてファイル名の「０３」が表示される（図１１の（Ｃ））。【００３５】　尚、この複数階層のディレクトリの表示は、表示部の桁数を増やすと更に見やすくなる。また、この実施形態のものでは、ファイル、或いは、ディレクトリ名として、番号をあてて表示させたが、アルファベットによる表示でもよく、また、表示部をドットマトリックスＬＣＤを用いて表示してもよい。【００３６】　以上のように構成された本実施形態のＳＭＣにおける階層ディレクトリ画像ファイル管理に基づいた記録再生処理の動作について、図１２〜図１８のフローチャートを用いて説明する。図１２は、このＳＭＣの「スイッチ処理」のフローチャートを示す。この処理は、操作スイッチ群１１，記録スイッチ２５等の各スイッチを操作して、画像ファイル管理用のディレクトリを作成したり、または、上記ディレクトリ情報を利用して画像ファイルをアクセスし記録、或いは、再生する処理ルーチンである。先ず、ステップＳ０１においてＲＥＣ／ＰＬＡＹスイッチ１１ａのオンオフをチェックする。オンの場合、即ち、再生モード選択の場合はステップＳ０８にジャンプし、アクセスされている画像ファイルの再生を行うサブルーチン「再生モード処理」がコールされる。また、オフの場合、ステップＳ０２に進み、記録スイッチ２５のオンオフをチェックする。オンの場合、撮影指示が出されたものとしてステップＳ０９にジャンプし、撮影を行うサブルーチン「撮影モード処理」がコールされる。また、オフの場合、ステップＳ０３に進む。【００３７】　ステップＳ０３では、ＭＤスイッチ１１ｆのオンオフをチェックする。オンの場合、ディレクトリ作成の指示が出されたものとしてステップＳ１０にジャンプして、後述するサブルーチン「ディレクトリ作成処理」（図１３参照）がコールされる。また、オフの場合、ステップＳ０４に進む。ステップＳ０４では、コマＵＰスイッチ１１ｂのオンオフをチェックする。オンの場合、該当するディレクトリのアクセス位置をインクリメントする指示が出されたものとしてステップＳ１１にジャンプし、後述するサブルーチン「ＵＰスイッチ処理」（図１４参照）がコールされる。また、オフの場合、ステップＳ０５に進む。【００３８】　ステップＳ０５では、コマＤＯＷＮスイッチ１１ｃのオンオフをチェックする。オンの場合、該当するディレクトリのアクセス位置をデクリメントする指示が出されたものとしてステップＳ１２にジャンプし、後述するサブルーチン「ＤＯＷＮスイッチ処理」がコールされる。また、コマＤＯＷＮスイッチ１１ｃがオフの場合、ステップＳ０６に進む。【００３９】　ステップＳ０６ではＤ−ＵＰスイッチ１１ｄのオンオフをチェックする。オンの場合、アクセスするディレクトリを上位階層に移す指示が出されたものとしてステップＳ１３にジャンプし、後述するサブルーチン「ディレクトリＵＰ処理」（図１６参照）がコールされる。また、オフの場合、ステップＳ０７に進む。ステップＳ０７では、Ｄ−ＤＯＷＮスイッチ１１ｅのオンオフをチェックする。オンの場合、アクセスするディレクトリを下位階層に移す指示が出されたものとしてステップＳ１４にジャンプし、後述するサブルーチン「ディレクトリＤＯＷＮ処理」がコールされる。また、オフの場合、ステップＳ０１に戻り、上述の処理を繰り返す。【００４０】　図１３は、上記サブルーチンの「ディレクトリ作成処理」のフローチャートを示す。この処理では、先ずステップＳ２１でメモリカード１４のＦＡＴから未記録領域である空きクラスタをサーチし、ステップＳ２２で該空きクラスタが存在するかどうかのチェックをする。空きクラスタがない場合、ステップＳ２７にジャンプして、表示部１２をフリッカリングさせるなどの警告を発し、本サブルーチンを終わる。また空きクラスタがあった場合、ステップＳ２３に進み、ディレクトリエントリにサブディレクトリを登録する。ステップＳ２４でサブディレクトリ領域の初期化を行う。このとき、ファイルのディレクトリエントリの先頭部分に０コードを書き込む。そして、ステップＳ２５において、上記作成したサブディレクトリの最初のファイルを次の記録位置とする。続いて、ステップＳ２６で表示部１２のディレクトリ名、及び、ファイル名を更新する。そして、本サブルーチンを終わる。【００４１】　図１４は、上記サブルーチンの「ＵＰスイッチ処理」のフローチャートを示す。この処理では、まず、ステップＳ３１で現在の位置するディレクトリは、最終エントリ領域かどうかの判断をする。最終エントリであれば、該当するサブディレクトリにはファイルを登録出来ないので、ステップＳ３５にジャンプして、後述するサブルーチン「最終エントリ処理」（図１５参照）が実行される。また、最終エントリでなければ、ステップＳ３２に進み、次のディレクトリの属性がサブディレクトリを示しているかどうかをチェックする。サブディレクトリを示している場合、ステップＳ３６にジャンプし後述するサブルーチン「サブディレクトリ処理」（図１７参照）がコールされる。サブディレクトリではない場合、即ち、画像データファイルである場合、ステップＳ３３に進み次のディレクトリエントリを記録位置（記録コマ位置）として指定する。そして、ステップＳ３４でＬＣＤ表示部１２の表示を更新して、本サブルーチンを終わる。尚、このサブルーチンでは記録モードの場合を説明したが、再生モードに対する処理も同様にして行われる。また、上記サブルーチンの「ＤＯＷＮスイッチ処理」についても、上記「ＵＰスイッチ処理」に対して逆方向にアクセスする処理となる。【００４２】　図１５は、上記サブルーチン「最終エントリ処理」のフローチャートを示す。この処理では、まず、ステップＳ４１にて現在の処理位置がルートディレクトリかどうかをチェックする。ルートディレクトリである場合、ステップＳ４５にジャンプし、警告を発して、本サブルーチンを終了する。また、ルートディレクトリではなかった場合、ステップＳ４２に進み、上位の階層のディレクトリに移るため、上位のディレクトリのポインタの読出しを行う。ステップＳ４３で、上位のディレクトリに移り、該ディレクトリの次のディレクトリエントリで示されるファイルを次の記録ファイルに指定する。そして、ステップＳ４４でＬＣＤ表示部１２の表示を更新して本サブルーチンを終了する。このサブルーチンは、記録モードにおける「ＵＰスイッチ処理」を示したが、再生モード処理に対する処理も同様な処理とする。【００４３】　図１６は上記サブルーチン「ディレクトリＵＰ処理」のサブルーチンを示す。この処理においては、まず、ステップＳ５１で現在の処理位置がルートディレクトリかどうかをチェックする。ルートディレクトリである場合、ステップＳ５５にジャンプし、後述するサブルーチン「ルートディレクトリ処理」（図１８参照）をコールする。またルートディレクトリではなかった場合、ステップＳ５２に進み、上位の階層ディレクトリに移るため、上位ディレクトリのポインタの読出しを行う。ステップＳ５３で、上位のディレクトリに移り、該ディレクトリの次のディレクトリエントリで示されるファイルを次の記録ファイルに指定する。そして、ステップＳ５４でＬＣＤ表示部１２の表示を更新して本サブルーチンを終了する。このサブルーチンは、記録モードにおける「ディレクトリＵＰ処理」を示したが、再生モード処理に対する処理も同様な処理とする。また、上記「ディレクトリＤＯＷＮ処理」についても、この「ディレクトリＵＰ処理」と同様な処理であり、逆にディレクトリを下位に移動させる処理である。【００４４】　図１７は、上記サブルーチン「サブディレクトリ処理」のフローチャートを示す。この処理においては、まず、ステップＳ６１でディレクトリエントリで指定されたサブディレクトリの記録可能なエントリを記録位置として指定する。そして、ステップＳ６２でＬＣＤ表示部１２の表示を更新して本サブルーチンを終了する。【００４５】　図１８は、上記サブルーチンの「ルートディレクトリ処理」のフローチャートを示す。この処理では、先ず、ステップＳ７１で現在の位置するディレクトリは、最終エントリ領域かどうかの判断をする。最終エントリであれば、該当するディレクトリにはファイルを登録できないので、ステップＳ７４にジャンプして、警告を発して本ルーチンを終了する。また、最終エントリでなければ、ステップＳ７２に進み、次のディレクトリエントリを記録位置（記録コマ位置）として指定する。そして、ステップＳ７３でＬＣＤの表示部１２の表示を更新して、本サブルーチンを終わる。【００４６】　以上述べたように本実施形態のＳＭＣは、画像ファイルをＤＯＳのＦＡＴシステムとサブディレクトリ構造により、分類整理を行い、その結果をカメラに装備する限度である数個の操作スイッチと少ない桁の表示部のみを用いて、ツリー表示のメリットを生かした画像ファイルのディレクトリ処理を可能にしたものである。例えば、撮影の旅行，運動会などのテーマ別のサブディレクトリを作成するとか、あるいは、連写画像ファイルは、他の一般の画像とは区別したり、そのファイルの登録状態が上記数個のスイッチ群の操作で、しかも少ない桁数のカメラ表示部でそれらの登録状態が認識され、ツリー表示に準ずる効果を奏する。【００４７】　尚、上記実施形態のＳＭＣのメモリカードのディレクトリ情報は、パソコンに入力することによってパソコン上で階層ディレクトリ処理することも可能である。【００４８】　図１９は、本発明の他の実施形態としてのＳＭＣにおいて、記録モード中に操作スイッチ１１のコマＵＰ，ＤＯＷＮスイッチ１１ｂ，１１ｃを操作して、記録のアクセスの対象となる未記録ファイルを選択する場合の、同ＳＭＣの表示部１２の表示状態を示す図である。先ず、図１９の（Ａ）の表示状態はディレクトリ表示部１２０に「０１」の表示がされており、現在記録しようとしている画像ファイルは、ルートディレクトリの１番目のファイル（図１９の（ａ）の１番目のファイルが対応する：本図は図６と同様の表現形式による）であることを示している。同様に、図１９の（Ｂ）の表示状態は、同じくディレクトリ表示部１２０に「０２」の表示がなされており、記録画像ファイルが、ルートディレクトリの２番のファイル（図１９の（ｂ）の２番目のファイルが対応する）であることを示している。更に、図１９の（Ｃ）の表示状態は、同じくディレクトリ表示部１２０に「０４」の表示がなされており、記録画像ファイルが、ルートディレクトリの４番のファイル（図１９の（ｃ）の４番目のファイルが対応する）であることを示している。このように表示されるファイル名は、コマ番号に対応でき、この点は、この実施形態でも一つの特徴となる。但し、この２番目の実施形態のＳＭＣは、図９等により上述したものに比較し、サブディレクトリへのアクセスを行う構成を持たず、簡易な構成と安価であることを旨としている。尚、この２番目の実施形態でも、図８につき説明したと同様に、「ＲＥＣ」の表示１２ｃは、カメラが記録モードにあることを示すものである。【００４９】　図２０は、図１９につき上述した２番目の実施形態のＳＭＣにおける再生動作時の表示部１２の表示状態を示す図である。先ず、図２０の（Ａ）の表示状態はディレクトリ表示部１２０に「０１」の表示がされており、現在再生しようとしている画像ファイルは、ルートディレクトリの１番目のファイルであることを示している。同様に、図２０の（Ｂ）の表示状態は、同じくディレクトリ表示部１２０に「０２」の表示がなされており、今アクセスの対象とされるのは、ルートディレクトリの２番のファイルであることを示している。一方、図２０の（Ｃ）の表示状態は、ディレクトリ表示部１２０に「０３」のフリッカ表示がなされており、これは、今アクセスの対象とされるのはルートディレクトリの３番目であるが、ここにはサブディレクトリが設定されていて、この実施形態のＳＭＣでは再生の対象とはされ得ない旨の警告表示である。また、図２０の（Ｄ）の表示状態は、ディレクトリ表示部１２０に「０４」の表示がなされており、今アクセスの対象とされるのは、ルートディレクトリの４番のファイルであることを示している。図２０の（Ｃ）のような表示を敢えて行うのは次のような理由による。即ち、この２番目の実施形態たる簡易で低コストのＳＭＣ自体ではサブディレクトリの設定乃至それへのアクセス機能は持たないものの、他の上位機種に当たるＳＭＣあるいはパソコンでの処理を受けてサブディレクトリが設定されたメモリカードがこの簡易型ＳＭＣに適用されることもあり得るため、このようなメモリカードの適用時にもユーザがカメラの故障と間違える等の無用の混乱を招くことのないよう相応の対処が必要となるからである。尚、この２番目の実施形態でも、図８につき説明したと同様に、「ＰＬＡＹ」の表示１２ｄは、カメラが再生モードにあることを示すものである。【００５０】　図２１は、本発明の３番目の実施形態としてのＳＭＣにおける主として再生動作時の表示部１２の表示状態を示す図である。先ず、図２０の（Ａ）はこの表示部１２の記録モードの設定を表す表示素子「ＲＥＣ」（１２ｃ），再生モードの設定を表す表示素子「ＰＬＡＹ」（１２ｄ）、ディレクトリ表示部１２０、及び、階層表示部１２１の表示素子を全て点灯（表示）状態にした様子を示す説明の便宜のための図である。図２１の（Ｂ）の表示状態はディレクトリ表示部１２０に「０１」の表示がされており、現在記録しようとしている画像ファイルは、ルートディレクトリのファイル名１のファイルであることを示している。同様に、図２１の（Ｃ）の表示状態は、同じくディレクトリ表示部１２０に「０８」の表示がなされており、記録画像ファイルが、ルートディレクトリの８番のファイルであることを示している。この３番目の実施形態でも、このように表示されるファイル名は、コマ番号に対応でき、上記の点は、実施形態の一つの特徴となる。そして、図２１の（Ｄ）の表示状態は、ディレクトリ表示部１２０に「０１」が表示されると共に、階層表示部１２１に「Ｓ」の表示がなされている。これは、ディレクトリ表示部１２０に「０１」を以て表示さている対象が上記図２１の（Ｂ）及び（Ｃ）のルートディレクトリより１階層下のサブディレクトリの１番目のファイルであることを示している。同様に、図２１の（Ｅ）の表示状態は、ディレクトリ表示部１２０に「０２」が表示されると共に、階層表示部１２１に「Ｓ」の表示がなされており、これは、ディレクトリ表示部１２０に「０２」を以て表示さている対象が上記サブディレクトリの２番目のファイルであることを示している。【００５１】　これらアクセスの対象となるファイルの切り換えは、第１の実施形態につき上述したと同様に、操作スイッチ群１１のコマＵＰ，ＤＯＷＮスイッチ１１ｂ，１１ｃを操作することによって行われる。
【発明の効果】
【００５２】　以上のように本発明の電子的撮像装置は、画像ファイルを管理するにあたって、ディレクトリを設定しファイルアクセスに便ならしめる手法を用い、しかも、ディレクトリに対するファイル登録限度に達する以前に他のディレクトリに移動して次の画像ファイルを記録可能なようにディレクトリを選択できるので、撮影者の好みにより多数の画像を記録する場合にも画像を区別して記録することができ、パソコン等に移した場合にも撮影後の整理に好都合である等種々顕著な効果を奏する。
【図面の簡単な説明】
【図１】本発明の一実施形態としての電子的撮像装置たるＳＭＣの外観図。
【図２】上記図１のＳＭＣの信号処理系のブロック図。
【図３】上記図１のＳＭＣのスイッチ群の平面図。
【図４】上記図１のＳＭＣのルートディレクトリをツリー表示した図。
【図５】上記図１のＳＭＣのルートディレクトリ、及び、サブディレクトリをツリー表示した図。
【図６】上記図１のＳＭＣのルートディレクトリ、及び、サブディレクトリの登録状態を示す図。
【図７】上記図１のＳＭＣのディレクトリエントリのフォーマット。
【図８】上記図１のＳＭＣのＬＣＤ表示部の平面図。
【図９】上記図１のＳＭＣのＬＣＤ表示部の表示例であって、（Ａ），（Ｂ）はルートディレクトリのファイル表示であり、（Ｃ），（Ｄ）はサブディレクトリのファイル表示を示す。
【図１０】上記図１のＳＭＣのＬＣＤ表示部のディレクトリ作成時の表示例であって、（Ａ）はサブディレクトリがまだ作成されないときの表示、（Ｂ）はサブディレクトリが作成されたときの表示、（Ｃ）はルートディレクトリに戻ったときの表示を示す。
【図１１】上記図１のＳＭＣのＬＣＤ表示部の表示例であって、（Ａ）は２つの階層ディレクトリの表示、（Ｂ）はルートディレクトリが隠された状態でのディレクトリ表示、（Ｃ）はルートディレクトリ表示状態に戻ったときの表示を示す。
【図１２】上記図１のＳＭＣの操作スイッチ群の操作による「スイッチ処理」のフローチャート。
【図１３】上記図１２の「スイッチ処理」でコールされるサブルーチン「ディレクトリ作成処理」のフローチャート。
【図１４】上記図１２の「スイッチ処理」でコールされるサブルーチン「ＵＰスイッチ処理」のフローチャート。
【図１５】上記図１４の「ＵＰスイッチ処理」でコールされるサブルーチン「最終エントリ処理」のフローチャート。
【図１６】上記図１２の「スイッチ処理」でコールされるサブルーチン「ディレクトリＵＰ処理」のフローチャート。
【図１７】上記図１４の「ＵＰスイッチ処理」でコールされるサブルーチン「サブディレクトリ処理」のフローチャート。
【図１８】上記図１６の「ディレクトリＵＰ処理」でコールされるサブルーチン「ルートディレクトリ処理」のフローチャート。
【図１９】本発明の他の実施形態としての電子的撮像装置たるＳＭＣの、記録モード時のＬＣＤ表示部の表示例であって、（Ａ），（Ｂ），（Ｃ）はルートディレクトリのファイル表示であり、（ａ），（ｂ），（ｃ）は，上記（Ａ），（Ｂ），（Ｃ）に対応するディレクトリの登録状態を示す図。
【図２０】図１９のＳＭＣの、再生モード時のＬＣＤ表示部の表示例であって、（Ａ），（Ｂ），（Ｄ），はルートディレクトリのファイル表示であり、（Ｃ）は、ルートディレクトリの３番目にはサブディレクトリが設定されており、この実施形態のＳＭＣによっては再生動作を行わない旨のフリッカ表示をする様子を示す。
【図２１】本発明の更に他の実施形態としての電子的撮像装置たるＳＭＣの、記録モード時のＬＣＤ表示部の表示例であって、（Ａ）は表示部の全ての表示素子を説明するための図であり、（Ｂ），（Ｃ），（Ｄ），（Ｅ）はアクセスの対象となるルートディレクトリのファイル表示である。
【図２２】従来のパソコンのＤＯＳで使用される階層構造ファイルシステムでのツリー表示の一例。
【符号の説明】
３　　システムコントローラ（ディレクトリ構造位置表示手段）
１２　　ＬＣＤ表示部（ディレクトリ構造位置表示手段）
１２ａ　第１表示部（ディレクトリ構造位置表示手段）
１２ｂ　第２表示部（ディレクトリ構造位置表示手段）
１４　　メモリカード（記録媒体）
１００　ＳＭＣ（電子的撮像装置）
【図１】
2004048793.tif 000003
【図２】
2004048793.tif 000004
【図３】
2004048793.tif 000005
【図４】
2004048793.tif 000006
【図５】
2004048793.tif 000007
【図６】
2004048793.tif 000008
【図７】
2004048793.tif 000009
【図８】
2004048793.tif 000010
【図９】
2004048793.tif 000011
【図１０】
2004048793.tif 000012
【図１１】
2004048793.tif 000013
【図１２】
2004048793.tif 000014
【図１３】
2004048793.tif 000015
【図１４】
2004048793.tif 000016
【図１５】
2004048793.tif 000017
【図１６】
2004048793.tif 000018
【図１７】
2004048793.tif 000019
【図１８】
2004048793.tif 000020
【図１９】
2004048793.tif 000021
【図２０】
2004048793.tif 000022
【図２１】
2004048793.tif 000023
【図２２】
2004048793.tif 000024